【手続補正書】
【提出日】平成17年7月7日(2005.7.7)
【手続補正１】
【補正対象書類名】特許請求の範囲
【補正対象項目名】全文
【補正方法】変更
【補正の内容】
【特許請求の範囲】
【請求項１】
通信方法であって、
伝送に関する情報を取得し、
データパケットの伝送に関するタイムスロットの数を決定し、
最初の値の組から選択された最初の値および情報により誤り検査値を計算し、最初の値および誤り検査値の双方はタイムスロットの数の関数であり、
データパケット内の、タイムスロットの数における、計算された誤り検査値および該情報を伝送し、
計算された誤り検査値および該情報を受信し、
受信された情報および最初の値の組から選択された少なくとも１つの最初の値から誤り検査値を再計算し、
計算された誤り検査値および再計算された誤り検査値を使用してタイムスロットの数を決定する
ことを含む方法。
【請求項２】
計算されたおよび再計算された誤り検査値は巡回冗長検査値を含む請求項１記載の方法。
【請求項３】
計算された巡回冗長検査値は、データパケットが第１の番号のタイムスロット上で伝送される場合は第１の最初の値を、そしてデータパケットが第２の番号のタイムスロット上で伝送される場合は第２の最初の値を含む請求項２記載の方法。
【請求項４】
データパケットが第１の番号のタイムスロット上で伝送され、そして、データパケット伝送のタイムスロットの数の決定は、計算されたおよび再計算された巡回冗長検査値を比較することを含む請求項３記載の方法。
【請求項５】
データパケットは第２の番号のタイムスロット上で伝送され、そしてデータパケット伝送のタイムスロットの数の決定は、再計算された巡回冗長検査値に対するあらかじめ設定された数のモジューロ２加算を実行し、そしてその結果を計算された巡回冗長検査値と比較することを含む請求項３記載の方法。
【請求項６】
計算された巡回冗長検査値および情報は第１の番号のタイムスロット上で伝送される請求項３記載の方法。
【請求項７】
第１の番号のタイムスロットは４タイムスロットを含み、そして第２の番号のタイムスロットは８タイムスロットを含み、タイムスロットは各々１．２５ミリ秒である請求項６記載の方法。
【請求項８】
通信システムであって、
少なくとも１個のタイムスロット上に拡がるデータパケットを発生し、そして最初の値および情報から計算された誤り検査値を計算するよう形成されたチャネルエレメントと、なお最初の値はデータパケットのタイムスロットの数の関数であり、そして計算された誤り検査値および情報を含むデータパケットを伝送するように形成された伝送機とを有する基地局と、そして
基地局からの情報および計算された誤り検査値を受信するよう形成された受信機と、そして誤り検査値と受信された情報を再計算し、そして計算されたおよび再計算された誤り検査値からデータパケットのタイムスロットの数を決定するよう形成された処理装置とを有する加入者局と
を含む通信システム。
【請求項９】
計算された誤り検査値および再計算された誤り検査値は巡回冗長検査値を含む請求項８記載の通信システム。
【請求項１０】
チャネルエレメントはさらに、計算された巡回冗長検査値を、データパケットが第１の番号のタイムスロット上に拡がる場合は第１の最初の値に、そしてデータパケットが第２の番号のタイムスロット上に拡がる場合は第２の最初の値にセットするよう形成された請求項９記載の通信システム。
【請求項１１】
データパケットは第１の番号のタイムスロット上に拡がり、そして処理装置はさらに、計算されたおよび再計算された巡回冗長検査値を比較することによってデータパケットのタイムスロットの数を決定するよう形成された請求項１０記載の通信システム。
【請求項１２】
データパケットは第２の番号のタイムスロット上に拡がり、そして処理装置はさらに、再計算された巡回冗長検査値に対するあらかじめ設定された値のモジューロ２加算により、およびその結果を計算された巡回冗長検査値と比較することによって、データパケットのタイムスロットの数を決定するよう形成された請求項１０記載の通信システム。
【請求項１３】
計算された巡回冗長検査値および情報が第１の番号のタイムスロット上に拡がる請求項１０記載の通信システム。
【請求項１４】
第１の番号のタイムスロットは４タイムスロットを含み、第２の番号のタイムスロットは８タイムスロットを含み、タイムスロット各々は１．２５ミリ秒である請求項１３記載の通信システム。
【請求項１５】
伝送デバイスであって、
少なくとも１個のタイムスロット上に拡がるデータパケットを発生し、そして最初の値および情報から誤り検査値を計算し、該最初の値はデータパケットのタイムスロットの数の関数であり、そして
データパケットが第１の番号のタイムスロット上に拡がる場合は最初の値に対し、データパケットが第２の番号のタイムスロット上に拡がる場合は第２の値に対して、巡回冗長検査値を計算するために最初の値を設定するように、
形成されたチャネルエレメントと、そして
データパケット、計算された誤り検査値、および情報を伝送するよう形成された伝送機とを含み、なお
計算された誤り検査値は巡回冗長検査値を含み、
計算された巡回冗長検査値および情報は第１の番号のタイムスロット上に拡がり、そして
第１の番号のタイムスロットは４タイムスロットを含み、第２の番号のタイムスロットは８タイムスロットを含み、タイムスロット各々は１．２５ミリ秒である、
デバイス。
【請求項１６】
受信デバイスであって、
少なくとも１個のタイムスロット上で伝送されるデータパケットと誤り検査値および情報を受信するよう形成された受信機と、該誤り検査値は最初の値および該情報から計算され、該最初の値はデータパケット伝送のタイムスロットの数の関数であり、そして
受信された情報から誤り検査値を再計算し、そして、計算されそして再計算された誤り検査値からデータパケット伝送のタイムスロットの数を決定するよう形成された処理装置と
を含む受信デバイス。
【請求項１７】
計算されたそして再計算された誤り検査値は計算されたそして再計算された巡回冗長検査値を含む請求項１６記載の受信デバイス。
【請求項１８】
処理装置はさらに、計算されたおよび再計算された巡回冗長検査値を比較することによって、データパケット伝送のタイムスロットの数を決定するよう形成された請求項１７記載の受信デバイス。
【請求項１９】
処理装置はさらに、再計算された巡回冗長検査値に対するあらかじめ設定された値のモジューロ２加算によってデータパケット伝送のタイムスロットの数を決定し、そしてその結果を計算された巡回冗長検査値と比較するよう形成された請求項１７記載の受信デバイス。
【請求項２０】
通信の方法を実行するために、計算機プログラムによって実行可能な命令のプログラムを具体化する計算機により読み出し可能な媒体であって、該方法は、
少なくとも１個のタイムスロット上に拡がるデータパケットを発生し、
最初の値および情報から誤り検査値を計算し、該最初の値はデータパケットのタイムスロットの数の関数であり、そして
データパケット、誤り検査値および通信媒体上で伝送するための情報をフォーマットすることを含み、なお
誤り検査値は巡回冗長検査値を含み、
計算された巡回冗長検査値に関する最初の値はデータパケットが第１の番号のタイムスロット上に拡がる場合は最初の値を含み、データパケットが第２の番号のタイムスロット上に拡がる場合は第２の値を含み
計算された巡回冗長検査値および情報は第１の番号のタイムスロット上に拡がり、そして
第１の番号のタイムスロットは４タイムスロットを含み、第２の番号のタイムスロットは８タイムスロットを含み、タイムスロット各々は１．２５ミリ秒である、
読み出し可能な媒体。
【請求項２１】
通信システムであって、
少なくとも１個のタイムスロット上に拡がるデータパケットを発生するための基地局と、
最初の値および情報から誤り検査値を計算するための手段と、該最初の値はデータパケットのタイムスロットの数の関数であり、そして、データパケット、計算された誤り検査値および情報を伝送するための手段と、そして
計算された誤り検査値および情報を受信するための加入者局と、
受信された情報から誤り検査値を再計算するための手段と、そして、
計算されたそして再計算された誤り検査値からデータパケットのタイムスロットの数を決定するための手段と
を含む通信システム。
【請求項２２】
基地局はさらに、計算された巡回冗長検査値を、データパケットが第１の番号のタイムスロット上に拡がる場合は第１の最初の値に、そしてデータパケットが第２の番号のタイムスロット上に拡がる場合は第２の最初の値に設定するための手段を含む請求項２１記載の通信システム。
【請求項２３】
データパケットは第１の番号のタイムスロット上に拡がり、そしてタイムスロットの数を決定する手段はさらに計算されたおよび再計算された巡回冗長検査値を比較するための手段を含む請求項２２記載の通信システム。
【請求項２４】
データパケットは第２の番号のタイムスロット上に拡がり、そしてタイムスロットの数を決定する手段はさらに、再計算された巡回冗長検査値に対するあらかじめ設定された値とのモジューロ２加算を実行し、そしてその結果を計算された巡回冗長検査値と比較するための手段を含む請求項２２記載の通信システム。
【請求項２５】
計算された巡回冗長検査値および情報は第１の番号のタイムスロット上に拡がる請求項２２記載の通信システム。
【請求項２６】
第１の番号のタイムスロットは４タイムスロットを含みそして第２の番号のタイムスロットは８タイムスロットを含み、タイムスロットは各々１．２５ミリ秒である請求項２５記載の通信システム。
【請求項２７】
伝送デバイスであって、
少なくとも１個のタイムスロット上に拡がるデータパケットを発生するための手段と、
最初の値および情報から誤り検査値を計算するための手段と、該最初の値はデータパケットのタイムスロットの数の関数であり、
データパケット、計算された誤り検査値、および通信媒体上での伝送のための情報をフォーマットするための手段と、なお
計算された誤り検査値は計算された巡回冗長検査値を含み、そして計算された巡回冗長検査値はビットシーケンスを含み、そして
計算された巡回冗長検査値に関する最初の値を、データパケットが第１の番号のタイムスロット上に拡がる場合は最初の値に、データパケットが第２の番号のタイムスロット上に拡がる場合は第２の値に設定する手段を含み、なお
該計算された巡回冗長検査値および情報は第１の番号のタイムスロット上に拡がり、そして
第１の番号のタイムスロットは４タイムスロットを含み、第２の番号のタイムスロットは８タイムスロットを含み、タイムスロット各々は１．２５ミリ秒である、
伝送デバイス。
【請求項２８】
受信デバイスであって、
少なくとも１個のタイムスロット上で伝送されたデータパケット、そして誤り検査値および情報を受信するための手段と、該誤り検査値は最初の値および情報から計算され、該最初の値はデータパケット伝送のタイムスロットの数の関数であり、
受信された情報から誤り検査値を再計算するための手段と、そして
計算されたおよび再計算された誤り検査値からデータパケット伝送のタイムスロットの数を決定するための手段と、
を含む、受信デバイス。
【請求項２９】
計算されたおよび再計算された誤り検査値は巡回冗長検査値を含む請求項２８記載の受信デバイス。
【請求項３０】
タイムスロットの数を決定する手段はさらに計算されたおよび再計算された巡回冗長検査値を比較するための手段を含む請求項２９記載の受信デバイス。
【請求項３１】
タイムスロットの数を決定する手段はさらに、再計算された巡回冗長検査値に対するあらかじめ設定された値のモジュロ２加算を実行し、その結果を計算された巡回冗長検査値と比較するための手段を含む請求項２９記載の受信デバイス。